(57)【要約】【課題】音声接続からビデオコール接続への切り替えに関する処理を効率的に実行する。【解決手段】呼制御サーバ１００は、呼制御情報に基づいて、端末間で通信を行う通信システムに含まれる。呼制御サーバ１００は、呼制御情報に含まれる端末識別子と通信方式変更の拒否に対応する拒否情報との対応を記憶する。呼制御サーバ１００は、通信方式変更要求を受信すると、記憶部に記憶された情報に基づいて通信方式変更要求に対して拒否応答をする。【選択図】図２
2018166312.tif 000002
【特許請求の範囲】
【請求項１】
呼制御情報に基づいて端末間で通信を行う通信システムにおける通信制御装置であって、
呼制御情報を受信する受信部と、
呼制御情報に含まれる端末識別子と通信方式変更の拒否に対応する拒否情報との対応を記憶する記憶部と、
通信方式変更要求を受信すると、前記記憶部に記憶された情報に基づいて前記通信方式変更要求に対して拒否応答をする制御部と
を有する通信制御装置。
【請求項２】
第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、前記呼制御情報の送信元となる前記第１端末または送信元となる前記第２端末の識別情報と前記拒否情報とを対応付けて記憶装置に格納する格納処理部と、
前記第１の通信方式により通信を行っている間に、前記第１端末から通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から通信方式の変更要求を受け付けた場合に、前記記憶装置に記憶された前記第１端末の識別情報に対応する拒否情報を基にして、前記変更要求に対する拒否応答を前記第２端末に送信する処理を実行する判定処理部と
を有することを特徴とする通信制御装置。
【請求項３】
前記第１端末の識別情報に対応する拒否情報および前記第２端末の識別情報に対応する拒否情報が、通信方式を変更することを許可する旨の情報である場合に、変更後の通信方式で利用する帯域を確保する帯域制御部を更に有することを特徴とする請求項２に記載の通信制御装置。
【請求項４】
前記格納処理部は、前記第１の通信方式により第１端末および第２端末の間で通信を行っている間に、前記呼制御情報を受信した場合に、前記記憶装置に格納された拒否情報を更新することを特徴とする請求項２に記載の通信制御装置。
【請求項５】
変更前の通信方式による前記第１端末および前記第２端末の間の通信は音声通信であり、変更後の通信方式による前記第１端末および前記第２端末の間で通信はビデオ通信であることを特徴とする請求項２、３または４に記載の通信制御装置。
【請求項６】
第１端末と、第２端末と、前記第１端末および前記第２端末の通信を中継する通信制御装置とを有する通信制御システムであって、
前記通信制御装置は、
第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、前記呼制御情報の送信元となる前記第１端末または送信元となる前記第２端末の識別情報と前記拒否情報とを対応付けて記憶装置に格納する格納処理部と、
前記第１の通信方式により通信を行っている間に、前記第１端末から通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から通信方式の変更要求を受け付けた場合に、前記記憶装置に記憶された前記第１端末の識別情報に対応する拒否情報を基にして、前記変更要求に対する拒否応答を前記第２端末に送信する処理を実行する判定処理部と
を有することを特徴とする通信制御システム。
【請求項７】
コンピュータに、
呼制御情報を受信し、
通信方式変更要求を受信すると、呼制御情報に含まれる端末識別子と通信方式変更の拒否に対応する拒否情報との対応を記憶する記憶部に記憶された情報に基づいて前記通信方式変更要求に対して拒否応答をする
処理を実行させることを特徴とする通信制御プログラム。
【請求項８】
コンピュータが実行する通信制御方法であって、
呼制御情報を受信し、
通信方式変更要求を受信すると、呼制御情報に含まれる端末識別子と通信方式変更の拒否に対応する拒否情報との対応を記憶する記憶部に記憶された情報に基づいて前記通信方式変更要求に対して拒否応答をする
処理を実行することを特徴とする通信制御方法。
【発明の詳細な説明】
【技術分野】
【０００１】
本発明は、通信制御装置等に関する。
【背景技術】
【０００２】
図１０は、従来の通信キャリアのシステム構成の一例を示す図である。図１０に示すように、このシステムは、ノード１０ａ，１０ｂと、管理サーバ２０と、キャリア交換網２５に含まれる呼制御サーバ３０ａ，３０ｂ，３０ｃとを有する。以下の説明では、呼制御サーバ３０ａ〜３０ｃをまとめて適宜、呼制御サーバ３０と表記する。
【０００３】
ノード１０ａとノード１０ｂとのＳＩＰ（Session  Initiation  Protocol）信号による音声接続制御やビデオコール接続制御等の呼制御は、呼制御サーバ３０を経由して行われる。管理サーバ２０は、電話加入者の情報を保持し、あるユーザのノードから他のユーザのノードに対する音声接続の要求が発生した場合に、ノード間のデータを中継する呼制御サーバ３０を選択する。ここでは一例として、音声接続の発信側をノード１０ａとし、着信側をノード１０ｂとし、呼制御サーバ３０ａ〜３０ｃが、データを中継するものとする。
【０００４】
図１１は、従来のシステムの処理を説明するシーケンス図である。まず、音声接続を開始する段階から説明する。ノード１０ａは、ノード１０ｂ宛の音声接続要求（SIP_INVITE）を呼制御サーバ３０ａに送信し、音声接続要求は、呼制御サーバ３０ｂ，３０ｃを介して、ノード１０ｂに到達する（ステップＳ１０）。
【０００５】
ノード１０ｂは、音声接続要求を受信すると、ノード１０ａ宛の暫定応答（SIP_18x）を呼制御サーバ３０ｃに送信し、暫定応答は、呼制御サーバ３０ｂ，３０ａを介して、ノード１０ａに到達する（ステップＳ１１）。
【０００６】
ノード１０ｂは、暫定応答を送信した後に、ノード１０ａ宛の応答（SIP_200）を、呼制御サーバ３０ｃに送信する。ここでは、音声接続許可応答を送信するものとする。音声接続許可応答は、呼制御サーバ３０ｂ，３０ａを介して、ノード１０ａに到達する（ステップＳ１２）。ノード１０ａが音声接続許可応答を受信すると、ノード１０ａとノード１０ｂは、呼制御サーバ３０ａ〜３０ｃを介して、音声接続され、音声通話が開始される。
【０００７】
続いて、音声通話中に、ビデオコール接続に切り替える場合について説明する。ノード１０ａは、ノード１０ｂ宛のビデオ切替要求（SIP_INVITE）を呼制御サーバ３０ａに送信し、ビデオ切替要求は、呼制御サーバ３０ｂ，３０ｃを介して、ノード１０ｂに到達する（ステップＳ１３）。
【０００８】
ノード１０ｂのユーザが「切替許可」操作を行うと、ノード１０ｂは、ノード１０ａ宛の切替許可応答（SIP_200［許可］）を、呼制御サーバ３０ｃに送信する。切替許可応答は、呼制御サーバ３０ｂ，３０ａを介して、ノード１０ａに到達する（ステップＳ１４ａ）。ノード１０ａが切替許可応答を受信すると、ノード１０ａとノード１０ｂは、音声接続からビデオコール接続に切り替えて、ビデオコールが開始される。
【０００９】
ノード１０ｂのユーザが「切替拒否」操作を行うと、ノード１０ｂは、ノード１０ａ宛の切替拒否応答（SIP_200［拒否］）を、呼制御サーバ３０ｃに送信する。切替拒否応答は、呼制御サーバ３０ｂ，３０ａを介して、ノード１０ａに到達する（ステップＳ１４ｂ）。ノード１０ａが切替拒否応答を受信すると、ノード１０ａとノード１０ｂは、音声接続からビデオコール接続に切り替えを行わず、音声接続を継続する。
【００１０】
続いて、従来の呼制御サーバの構成の一例について説明する。図１２は、従来の呼制御サーバの構成を示す機能ブロック図である。ここでは、呼制御サーバ３０ａの機能ブロック図について説明するが、呼制御サーバ３０ｂ，３０ｃの機能ブロック図は、呼制御サーバ３０ａの機能ブロック図に対応する。
【００１１】
図１２に示すように、この呼制御サーバ３０ａは、信号振り分け制御部３２と、入側信号制御部３３ａと、出側信号制御部３３ｂと、セッション制御部３４と、呼接続制御部３５と、帯域制御部３６とを有する。なお、呼制御サーバ３０ａは、C-PLANEまたはU-PLANEを利用する。
【００１２】
例えば、呼制御サーバ３０ａは、C-PLANEにより、ノード１０ａ，１０ｂからＳＩＰ信号を送受信する。ＳＩＰ信号は、上述したSIP_INVITE、SIP_18x、SIP_200が含まれる。
【００１３】
信号振り分け制御部３２は、各種のＳＩＰ信号の振り分けを行う処理部である。例えば、信号振り分け制御部３２は、ノード１０ａを送信元とするＳＩＰ信号を、入側信号制御部３３ａに出力する。信号振り分け制御部３２は、ノード１０ｂを送信元とするＳＩＰ信号を、出側信号制御部３３ｂに出力する。信号振り分け制御部３２は、入側信号制御部３３ａおよび出側信号制御部３３ｂから取得するＳＩＰ信号を送信する。
【００１４】
入側信号制御部３３ａは、ノード１０ａのＳＩＰ信号を処理する。例えば、入側信号制御部３３ａは、信号振り分け制御部３２から取得したＳＩＰ信号を、セッション制御部３４に出力する。入側信号制御部３３ａは、セッション制御部３４から取得したＳＩＰ信号を、信号振り分け制御部３２に出力する。
【００１５】
出側信号制御部３３ｂは、ノード１０ｂのＳＩＰ信号を処理する。例えば、出側信号制御部３３ｂは、信号振り分け制御部３２から取得したＳＩＰ信号を、セッション制御部３４に出力する。出側信号制御部３３ｂは、セッション制御部３４から取得したＳＩＰ信号を、信号振り分け制御部３２に出力する。
【００１６】
セッション制御部３４は、セッション単位の伝送を制御する処理部である。セッション制御部３４は、入側信号制御部３３ａまたは出側信号制御部３３ｂから取得するＳＩＰ信号を、呼接続制御部３５に出力する。セッション制御部３４は、呼接続制御部３５から、ノード１０ａ宛のＳＩＰ信号を取得すると、取得したＳＩＰ信号を、入側信号制御部３３ａに出力する。セッション制御部３４は、呼接続制御部３５から、ノード１０ｂ宛のＳＩＰ信号を取得すると、取得したＳＩＰ信号を、出側信号制御部３３ｂに出力する。
【００１７】
呼接続制御部３５は、ノード１０ａとノード１０ｂとの呼の接続制御を行う処理部である。例えば、呼接続制御部３５は、ノード１０ａとノード１０ｂとの間でSIP_INVITE、SIP_18x、SIP_200が送受信されると、帯域制御部３６に対して、音声接続の帯域およびビデオコール接続の帯域の確保を要求する。そして、呼接続制御部３５は、ノード１０ａとノード１０ｂとの間で音声接続またはビデオコール接続を行う。
【００１８】
帯域制御部３６は、呼接続制御部３５から音声接続の帯域およびビデオコール接続の帯域の確保の要求を受け付けると、U-PLANEを利用して、音声帯域およびビデオコール帯域の確保を指示する。
【先行技術文献】
【特許文献】
【００１９】
【特許文献１】特開２００７−６８１１９号公報
【発明の概要】
【発明が解決しようとする課題】
【００２０】
しかしながら、上述した従来技術では、音声接続からビデオコール接続への切り替えに関する処理を効率的に実行できないという問題がある。
【００２１】
従来技術では、音声接続が確立している状態から、ビデオコール接続に切り替える場合には、ノード１０ａとノード１０ｂとの間で、ビデオ切り替え要求／応答のＳＩＰ信号のやり取りが発生する。ここで、ノード１０ｂのユーザが、ビデオコール接続への切り替えを拒否する場合でも、図１１で説明したステップＳ１３，Ｓ１４ｂのやり取りが発生し、無駄なネットワークリソースを使用してしまう。
【００２２】
また、従来のシステムにおいて、音声接続時にビデオコール用の帯域を確保する設定である場合には、音声接続からビデオコール接続へスムーズに移行することができる。しかし、どちらか一方のノードのユーザが、ビデオコール接続に切り替えない場合には、余分な帯域を確保してしまう。
【００２３】
１つの側面では、本発明は、音声接続からビデオコール接続への切り替えに関する処理を効率的に実行できる通信制御装置、通信制御システム、通信制御プログラムおよび通信制御方法を提供することを目的とする。
【課題を解決するための手段】
【００２４】
第１の案では、通信制御装置は、受信部と、記憶部と、制御部とを有する。受信部は、呼制御情報を受信する。記憶部は、呼制御情報に含まれる端末識別子と通信方式変更の拒否に対応する拒否情報との対応を記憶する。制御部は、通信方式変更要求を受信すると、記憶部に記憶された情報に基づいて通信方式変更要求に対して拒否応答をする。
【発明の効果】
【００２５】
音声通話中において、ビデオ通信への切替要求に対する拒否を設定してある端末であれば、切替要求を通話中の該端末まで中継、転送することなく、また、ビデオ通信帯域を確保することなく、ビデオ通信への切替拒否を簡単な構成で実現できる。
【図面の簡単な説明】
【００２６】
【図１】図１は、本実施例に係る通信キャリアのシステムの構成を示す図である。
【図２】図２は、本実施例に係るビデオ切り替えにおける制御シーケンスを示す図である。
【図３】図３は、本実施例に係る呼制御サーバの構成を示す機能ブロック図である。
【図４】図４は、切替テーブルのデータ構造の一例を示す図である。
【図５】図５は、呼制御サーバの処理手順を示すフローチャート（１）である。
【図６】図６は、呼制御サーバの処理手順を示すフローチャート（２）である。
【図７】図７は、帯域判定処理を示すフローチャートである。
【図８】図８は、呼制御サーバの処理手順を示すフローチャート（３）である。
【図９】図９は、呼接続サーバと同様の機能を実現するコンピュータのハードウェア構成の一例を示す図である。
【図１０】図１０は、従来の通信キャリアのシステム構成の一例を示す図である。
【図１１】図１１は、従来のシステムの処理を説明するシーケンス図である。
【図１２】図１２は、従来の呼制御サーバの構成を示す機能ブロック図である。
【発明を実施するための形態】
【００２７】
以下に、本願の開示する通信制御装置、通信制御システム、通信制御プログラムおよび通信制御方法の実施例を図面に基づいて詳細に説明する。なお、この実施例によりこの発明が限定されるものではない。
【実施例】
【００２８】
図１は、本実施例に係る通信キャリアのシステムの構成を示す図である。図１に示すように、このシステムは、ノード５０ａ，５０ｂと、管理サーバ６０と、キャリア交換網６５に含まれる呼制御サーバ１００ａ，１００ｂ，１００ｃとを有する。以下の説明では、呼制御サーバ１００ａ〜１００ｃをまとめて適宜、呼制御サーバ１００と表記する。呼制御サーバは、通信制御装置の一例である。
【００２９】
ノード５０ａおよびノード５０ｂは、呼制御サーバ１００を介して、音声接続またはビデオコール接続する装置である。本実施例では一例として、音声接続、ビデオコール接続の発信側をノード５０ａとし、着信側をノード５０ｂとして説明を行う。
【００３０】
管理サーバ６０は、電話加入者の情報を保持し、例えば、ノード５０ａからノード５０ｂに対する音声接続の要求が発生した場合に、ノード５０ａ，５０ｂ間のデータを中継する呼制御サーバ１００を選択する装置である。本実施例では、一例として、呼制御サーバ１００ａ，１００ｂが、データを中継するものとする。
【００３１】
呼制御サーバ１００は、ノード５０ａとノード５０ｂのＳＩＰ信号による音声接続制御やビデオコール接続制御を実行する装置である。また、呼制御サーバ１００は、ノード５０ａ，５０ｂ間の音声通話の開始時に、ビデオコール接続への切り替えの有無の情報を、各ノード５０ａ，５０ｂから取得して保持しておく。呼制御サーバ１００は、一方のノードからビデオ切替要求を受け付けた場合に、他方のノードが、ビデオコール接続への切り替えを拒否している場合には、呼制御サーバ１００が、ビデオ切替要求の送信元にビデオ切替拒否を送信する。なお、ＳＩＰ信号は、呼制御情報の一例であり、ビデオ切替要求は、通信方式変更要求の一例である。
【００３２】
すなわち、呼制御サーバ１００は、ビデオ切替要求に対する拒否を設定してあるノードに対して、ビデオ切替要求を音声接続中のノードまで中継、転送する処理およびビデオ通信帯域を確保する処理をスキップし、ビデオ切替拒否を送信元に応答する。このため、無駄なネットワークリソースを使用してしまうという問題を解消することができ、音声接続からビデオコール接続への切り替えに関する処理を効率的に実行できる。また、ビデオコール接続への切り替え拒否を簡単な構成で実現できる。
【００３３】
ここで、音声接続からビデオコール接続（ビデオコール接続から音声接続）へ切り替えることは、コーデックを音声コーデックからビデオコーデック（ビデオコーデックから音声コーデック）への変更することを意味する。例えば、音声コーデックには、AMR-NB（Adaptive  Multi-Rate  Narrowband）、AMR-WB（Adaptive  Multi-Rate  Wideband）、G711、EVS（Enhanced  Voice  Services）がある。また、ビデオコーデックには、H.264等がある。
【００３４】
音声コーデックからビデオコーデックへの変更は、システムにより様々であるが、例えば、「EVS」から「AMR-WB+H.264」への変更、「AMR-WB」から「EVS+H.264」への変更、「EVS」から「EVS＋H.264」への変更等がある。なお、ビデオコーデックから音声コーデックへの変更は、上記の逆となる。
【００３５】
図２は、本実施例に係るビデオ切り替えにおける制御シーケンスを示す図である。まず、音声接続を開始する段階から説明する。ノード５０ａは、ノード５０ｂ宛の音声接続要求（SIP_INVITE）を呼制御サーバ１００ａに送信し、音声接続要求は、呼制御サーバ１００ｂを介して、ノード５０ｂに到達する（ステップＳ２０）。
【００３６】
ステップＳ２０において、音声接続要求には、ノード５０ａにより設定されるビデオ切替パラメータが含まれる。ビデオ切替パラメータは、送信元のノードを一意に識別する識別情報と、音声接続からビデオコール接続への切り替えを許可するか否かの情報が含まれる。
【００３７】
呼制御サーバ１００は、音声接続要求にビデオ切替パラメータが設定されているか否かのチェックを実施する。呼制御サーバ１００は、音声接続要求にビデオ切替パラメータが設定されている場合には、ビデオ切替パラメータを、切替テーブルに保存する（ステップＳ２１）。呼制御サーバ１００は、ＳＩＰ信号の透過転送を開始する（ステップＳ２２）。
【００３８】
ノード５０ｂは、音声接続要求を受信すると、ノード５０ａ宛の暫定応答（SIP_18x）を呼制御サーバ１００ｂに送信し、暫定応答は、呼制御サーバ１００ａを介して、ノード５０ａに到達する（ステップＳ２３）。
【００３９】
ノード５０ｂは、暫定応答を送信した後に、ノード５０ａ宛の応答（SIP_200）を、呼制御サーバ１００ｂに送信する。ここでは、音声接続許可応答を送信するものとする。音声接続許可応答は、呼制御サーバ１００ａを介して、ノード５０ａに到達する（ステップＳ２４）。
【００４０】
ステップＳ２４において、音声接続許可応答には、ノード５０ｂにより設定されるビデオ切替パラメータが含まれる。
【００４１】
呼制御サーバ１００は、音声接続許可応答にビデオ切替パラメータが設定されているか否かのチェックを実施する。呼制御サーバ１００は、音声接続許可応答にビデオ切替パラメータが設定されている場合には、ビデオ切替パラメータを、切替テーブルに保存する（ステップＳ２５）。
【００４２】
呼制御サーバ１００は、切替テーブルを参照し、ノード５０ａ，５０ｂが、音声接続からビデオ接続に切り替えることを許可するか否かを判定する。呼制御サーバ１００は、ノード５０ａ，５０ｂが、音声接続からビデオ接続に切り替えることを許可する場合には、音声接続の帯域およびビデオコール接続の帯域を確保する。一方、呼制御サーバ１００は、ノード５０ａ，５０ｂのいずれか一方が、音声接続からビデオ接続に切り替えることを拒否する場合には、音声接続の帯域のみを確保する（ステップＳ２６）。
【００４３】
呼制御サーバ１００は、ＳＩＰ信号の透過転送を開始する（ステップＳ２７）。ノード５０ａが音声接続許可応答を受信すると、ノード５０ａとノード５０ｂは、呼制御サーバ１００ａ，１００ｂを介して、音声接続され、音声通話が開始される（ステップＳ２８）。
【００４４】
続いて、音声通話中に、ビデオコール接続に切り替える場合について説明する。ノード５０ａは、ノード５０ｂ宛のビデオ切替要求（SIP_INVITE）を呼制御サーバ１００ａに送信する（ステップＳ２９）。
【００４５】
呼制御サーバ１００ａは、切替テーブルに保存されたノード５０ｂのビデオ切替パラメータを参照する。呼制御サーバ１００ａは、ビデオ切替不可である場合には、ＳＩＰ信号（ビデオ切替要求）を中継せずに、折り返しビデオ切替拒否のＳＩＰ信号（SIP_200［拒否］）をノード５０ａに送信する（ステップＳ３０，３０ａ）。一方、呼制御サーバ１００ａは、ビデオ切替可能である場合には、ビデオ切替要求のＳＩＰ信号（SIP_INVITE）を透過転送する（ステップＳ３０，３０ｂ）。
【００４６】
なお、上記の例では、音声接続要求にビデオ切り替えパラメータが設定されていることが前提となっているがこれに限定されない。例えば、呼制御サーバ１００は、ビデオ切り替えパラメータを設定できないノードも対応可能とするために、音声接続要求にビデオ切り替えパラメータが設定されていない場合は、デフォルトで拒否情報を「許可」と設定するようにしても良い。また、呼制御サーバ１００に対応していない他のサーバ（未対応サーバ）が通信経路上に存在した場合には、未対応サーバは既存動作で次のサーバに中継し、呼制御サーバ１００に対応しているサーバで拒否動作を行うものとする。
【００４７】
次に、呼制御サーバ１００の構成の一例について説明する。図３は、本実施例に係る呼制御サーバの構成を示す機能ブロック図である。図３に示すように、この呼制御サーバ１００ａは、信号振り分け制御部１０２と、入側信号制御部１０３ａと、出側信号制御部１０３ｂとを有する。また、呼制御サーバ１００ａは、セッション制御部１０４と、切替テーブル１０５と、呼接続制御部１０６と、帯域制御部１０７とを有する。呼制御サーバ１００ｂ，１００ｃの機能ブロック図は、呼制御サーバ１００ａの機能ブロック図に対応するためここでは説明を省略する。なお、呼制御サーバ１００ａは、C-PLANEまたはU-PLANEを利用する。例えば、呼制御サーバ１００ａは、C-PLANEにより、ノード５０ａ，５０ｂからＳＩＰ信号を送受信する。ＳＩＰ信号は、上述したSIP_INVITE、SIP_18x、SIP_200が含まれる。
【００４８】
例えば、信号振り分け制御部１０２、入側信号制御部１０３ａ、出側信号制御部１０３ｂ、セッション制御部１０４、呼接続制御部１０６、帯域制御部１０７の処理は、図示しない制御部により実行される。制御部は、ＣＰＵ（Central  Processing  Unit）やＭＰＵ（Micro  Processing  Unit）などによって実現できる。また、制御部は、ＡＳＩＣ（Application  Specific  Integrated  Circuit）やＦＰＧＡ（Field  Programmable  Gate  Array）などのハードワイヤードロジックによっても実現できる。
【００４９】
切替テーブル１０５は、図示しない記憶部に記憶される。記憶部は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００５０】
信号振り分け制御部１０２は、各種のＳＩＰ信号の振り分けを行う処理部である。例えば、信号振り分け制御部１０２は、ノード５０ａを送信元とするＳＩＰ信号を、入側信号制御部１０３ａに出力する。信号振り分け制御部１０２は、ノード５０ｂを送信元とするＳＩＰ信号を、出側信号制御部１０３ｂに出力する。信号振り分け制御部１０２は、入側信号制御部１０３ａおよび出側信号制御部１０３ｂから取得するＳＩＰ信号を送信する。また、信号振り分け制御部１０２は、外部から各種のＳＩＰ信号を受信する受信部の機能も有する。
【００５１】
入側信号制御部１０３ａは、ノード５０ａのＳＩＰ信号を処理する。例えば、入側信号制御部１０３ａは、信号振り分け制御部１０２から取得したＳＩＰ信号を、セッション制御部１０４に出力する。入側信号制御部１０３ａは、セッション制御部１０４から取得したＳＩＰ信号を、信号振り分け制御部１０２に出力する。
【００５２】
出側信号制御部１０３ｂは、ノード５０ｂのＳＩＰ信号を処理する。例えば、出側信号制御部１０３ｂは、信号振り分け制御部１０２から取得したＳＩＰ信号を、セッション制御部１０４に出力する。出側信号制御部１０３ｂは、セッション制御部１０４から取得したＳＩＰ信号を、信号振り分け制御部１０２に出力する。
【００５３】
セッション制御部１０４は、セッション単位の伝送を制御する処理部である。セッション制御部１０４は、入側信号制御部１０３ａまたは出側信号制御部１０３ｂから取得するＳＩＰ信号を、呼接続制御部１０６に出力する。セッション制御部１０４は、呼接続制御部１０６から、ノード５０ａ宛のＳＩＰ信号を取得すると、取得したＳＩＰ信号を、入側信号制御部１０３ａに出力する。セッション制御部１０４は、呼接続制御部１０６から、ノード５０ｂ宛のＳＩＰ信号を取得すると、取得したＳＩＰ信号を、出側信号制御部１０３ｂに出力する。
【００５４】
切替テーブル１０５は、ＳＩＰ信号に含まれるビデオ切替パラメータを保持するテーブルである。図４は、切替テーブルのデータ構造の一例を示す図である。図４に示すように、この切替テーブル１０５は、ビデオ切替パラメータを有する。ビデオ切替パラメータは、識別情報と、拒否情報とを対応付ける。
【００５５】
識別情報は、音声接続の発信側のノードを一意に識別する情報と、着信側のノードを一意に識別する情報とを有する。例えば、発信側のノードをノード５０ａとし、着信側のノードをノード５０ｂとする。
【００５６】
拒否情報は、音声接続からビデオコール接続への切り替えを拒否するか否かを示す情報である。音声接続からビデオコール接続への切り替えを許可する場合には、拒否情報は「許可」となる。音声接続からビデオコール接続への切り替えを拒否する場合には、拒否情報は「拒否」となる。
【００５７】
呼接続制御部１０６は、ノード５０ａとノード５０ｂの呼の接続制御を行う処理部である。呼接続制御部１０６は、格納処理部１０６ａと、判定処理部１０６ｂとを有する。
【００５８】
格納処理部１０６ａは、ノード５０ａ，５０ｂから受信するＳＩＰ信号（SIP_INVITE、SIP_18x、SIP_200）にビデオ切替パラメータが設定されている場合に、ビデオ切替パラメータを、切替テーブル１０５に格納する処理部である。ビデオ切替パラメータは、ＳＩＰ信号の所定の行に格納されているものとする。
【００５９】
例えば、格納処理部１０６ａは、ノード５０ａからＳＩＰ信号（SIP_INVITE；音声接続要求）を受信すると、音声接続要求にビデオ切替パラメータが設定されているか否かを判定する。格納処理部１０６ａは、音声接続要求に、ビデオ切替パラメータが設定されている場合には、ノード５０ａに関するビデオ切替パラメータを、切替テーブル１０５に格納する。
【００６０】
格納処理部１０６ａは、ノード５０ｂからＳＩＰ信号（SIP_200；音声接続許可応答）を受信すると、音声接続許可応答にビデオ切替パラメータが設定されているか否かを判定する。格納処理部１０６ａは、音声接続許可応答に、ビデオ切替パラメータが設定されている場合には、ノード５０ｂに関するビデオ切替パラメータを、切替テーブル１０５に格納する。
【００６１】
判定処理部１０６ｂは、ノード５０ａまたは５０ｂからＳＩＰ信号（SIP_INVITE；ビデオ切替要求）を受信した場合に、接続先のノードのビデオ切替パラメータを基にして、ビデオ切替拒否のＳＩＰ信号（SIP_200）を、送信元のノードに送信するか否かを判定する処理部である。
【００６２】
例えば、判定処理部１０６ｂは、ノード５０ａからビデオ切替要求を受信すると、切替テーブル１０５にアクセスし、ノード５０ｂの拒否情報を参照する。ノード５０ｂの拒否情報が「拒否」である場合には、ノード５０ａ宛の切替拒否応答（SIP_200［拒否］）を、セッション接続部１０４に出力する。また、判定処理部１０６ｂは、ノード５０ａから受信したビデオ切替要求を、ノード５０ｂに転送する処理を抑止する。
【００６３】
一方、判定処理部１０６ｂは、ノード５０ｂの拒否情報が「許可」である場合には、ノード５０ａから受信したビデオ切替要求をセッション制御部１０４に出力することで、転送を行う。
【００６４】
判定処理部１０６ｂは、ノード５０ｂからビデオ切替要求を受信すると、切替テーブル１０５にアクセスし、ノード５０ａの拒否情報を参照する。ノード５０ａの拒否情報が「拒否」である場合には、ノード５０ｂ宛の切替拒否応答（SIP_200［拒否］）を、セッション接続部１０４に出力する。また、判定処理部１０６ｂは、ノード５０ｂから受信したビデオ切替要求を、ノード５０ａに転送する処理を抑止する。
【００６５】
一方、判定処理部１０６ｂは、ノード５０ａの拒否情報が「許可」である場合には、ノード５０ｂから受信したビデオ切替要求をセッション制御部１０４に出力することで、転送を行う。
【００６６】
また、判定処理部１０６ｂは、ノード５０ａから音声接続要求を受信し、ノード５０ｂから、暫定応答および音声接続許可応答を受信した後に、音声接続の帯域およびビデオコール接続の帯域を確保するか否かを判定する。
【００６７】
判定処理部１０６ｂは、切替テーブル１０５を参照し、ノード５０ａとノード５０ｂの拒否情報が「許可」である場合には、音声接続の帯域およびビデオコール接続の帯域を確保すると判定する。判定処理部１０６ｂは、帯域制御部１０７に対して、音声接続の帯域およびビデオコール接続の帯域の確保の要求を行う。
【００６８】
判定処理部１０６ｂは、切替テーブル１０５を参照し、ノード５０ａとノード５０ｂのうちいずれかの拒否情報が「拒否」である場合には、音声接続の帯域のみを確保すると判定する。判定処理部１０６ｂは、帯域制御部１０７に対して、音声接続の帯域の確保の要求を行う。
【００６９】
帯域制御部１０７は、呼接続制御部１０６から音声接続の帯域およびビデオコール接続の帯域の確保の要求を受け付けると、U-PLANEを利用して、音声帯域およびビデオコール帯域の確保を指示する。また、帯域制御部１０７は、呼接続制御部１０６から音声接続の帯域の確保の要求を受け付けると、U-PLANEを利用して、音声帯域の確保を指示する。
【００７０】
続いて、本実施例に係る呼制御サーバ１００の処理手順について説明する。図５は、呼制御サーバの処理手順を示すフローチャート（１）である。図５に示す例では、呼制御サーバ１００が、ノード５０ａからノード５０ｂ宛の音声接続要求を受信する場合について説明する。
【００７１】
図５に示すように、呼制御サーバ１００の呼接続制御部１０６は、ノード５０ａから音声接続要求（SIP_INVITE）を受信する（ステップＳ１０１）。呼接続制御部１０６は、切替テーブル１０５を初期化する（ステップＳ１０２）。
【００７２】
呼接続制御部１０６は、音声接続要求について、ビデオ切替パラメータの設定有無を判定する（ステップＳ１０３）。呼接続制御部１０６は、ビデオ切替パラメータの設定が有る場合には（ステップＳ１０４，Ｙｅｓ）、ステップＳ１０６に移行する。一方、呼接続制御部１０６は、ビデオ切替パラメータの設定がない場合には（ステップＳ１０４，Ｎｏ）、ステップＳ１０５に移行する。
【００７３】
呼接続制御部１０６は、切替テーブル１０５に、識別情報「ノード５０ａ」、拒否情報「許可」を設定し（ステップＳ１０５）、ステップＳ１０９に移行する。
【００７４】
呼接続制御部１０６は、ビデオ切替パラメータが「拒否」である場合には（ステップＳ１０６，Ｙｅｓ）、切替テーブル１０５に、識別情報「ノード５０ａ」、拒否情報「拒否」を設定する（ステップＳ１０７）。
【００７５】
呼接続制御部１０６は、ビデオ切替パラメータが「拒否」でない場合には（ステップＳ１０６，Ｎｏ）、切替テーブル１０５に、識別情報「ノード５０ａ」、拒否情報「許可」を設定する（ステップＳ１０８）。
【００７６】
呼接続制御部１０６は、要求信号を透過転送し（ステップＳ１０９）、処理を終了する。
【００７７】
図６は、呼制御サーバの処理手順を示すフローチャート（２）である。図６に示す例では、呼制御サーバ１００が、ノード５０ｂからノード５０ａ宛の音声接続許可応答を受信する場合について説明する。
【００７８】
図６に示すように、呼制御サーバ１００の呼接続制御部１０６は、ノード５０ｂから音声接続許可応答（SIP_200）を受信する（ステップＳ２０１）。呼接続制御部１０６は、音声接続許可応答について、ビデオ切替パラメータの設定有無を判定する（ステップＳ２０２）。
【００７９】
呼接続制御部１０６は、ビデオ切替パラメータの設定が有る場合には（ステップＳ２０３，Ｙｅｓ）、ステップＳ２０５に移行する。一方、呼接続制御部１０６は、ビデオ切替パラメータの設定がない場合には（ステップＳ２０３，Ｎｏ）、ステップＳ２０４に移行する。
【００８０】
呼接続制御部１０６は、切替テーブル１０５に、識別情報「ノード５０ｂ」、拒否情報「許可」を設定し（ステップＳ２０４）、ステップＳ２０８に移行する。
【００８１】
呼接続制御部１０６は、ビデオ切替パラメータが「拒否」である場合には（ステップＳ２０５，Ｙｅｓ）、切替テーブル１０５に、識別情報「ノード５０ｂ」、拒否情報「拒否」を設定する（ステップＳ２０６）。
【００８２】
呼接続制御部１０６は、ビデオ切替パラメータが「拒否」でない場合には（ステップＳ２０５，Ｎｏ）、切替テーブル１０５に、識別情報「ノード５０ｂ」、拒否情報「許可」を設定する（ステップＳ２０７）。
【００８３】
呼接続制御部１０６は、帯域判定処理を実行する（ステップＳ２０８）。呼接続制御部１０６は、要求信号を透過転送し（ステップＳ２０９）、処理を終了する。
【００８４】
次に、図６のステップＳ２０８に示した帯域判定処理について説明する。図７は、帯域判定処理を示すフローチャートである。図７に示すように、呼制御サーバ１００の呼接続制御部１０６は、切替テーブル１０５の拒否情報をチェックする（ステップＳ３０１）。
【００８５】
呼接続制御部１０６は、発信側および着信側の拒否情報が「許可」である場合には（ステップＳ３０２，Ｙｅｓ）、帯域制御部１０７に対して、音声接続およびビデオコール接続の帯域を確保する旨の要求を帯域制御部１０７に出力する（ステップＳ３０３）。
【００８６】
呼接続制御部１０６は、発信側および着信側の拒否情報が「許可」でない場合には（ステップＳ３０２，Ｎｏ）、帯域制御部１０７に対して、音声接続の帯域を確保する旨の要求を帯域制御部１０７に出力する（ステップＳ３０４）。
【００８７】
図８は、呼制御サーバの処理手順を示すフローチャート（３）である。図８に示す例では、呼制御サーバ１００が、ノード５０ａからノード５０ｂ宛のビデオ切替要求を受信した場合について説明する。
【００８８】
図８に示すように、呼制御サーバ１００の呼接続制御部１０６は、ノード５０ａからビデオ切替要求（SIP_INVITE）を受信する（ステップＳ４０１）。呼接続制御部１０６は、切替テーブル１０５を参照する（ステップＳ４０２）。
【００８９】
呼接続制御部１０６は、接続先のノード５０ｂの拒否情報が「拒否」でない場合には（ステップＳ４０３，Ｎｏ）、ビデオ切替要求（SIP_INVITE）をノード５０ｂに透過転送し（ステップＳ４０４）、ステップＳ４０６に移行する。
【００９０】
呼接続制御部１０６は、接続先のノード５０ｂの拒否情報が「拒否」である場合には（ステップＳ４０３，Ｙｅｓ）、切替拒否応答（SIP_200）を生成し、ノード５０ａに折り返し送信する（ステップＳ４０５）。呼接続制御部１０６は、要求信号を透過転送する（ステップＳ４０６）。
【００９１】
次に、本実施例に係る呼制御サーバ１００の効果について説明する。呼制御サーバ１００は、ビデオ切替要求に対する拒否を設定してあるノードに対して、ビデオ切替要求を音声接続中のノードまで中継、転送する処理およびビデオ通信帯域を確保する処理をスキップし、ビデオ切替拒否を送信元に応答する。このため、無駄なネットワークリソースを使用してしまうという問題を解消することができ、音声接続からビデオコール接続への切り替えに関する処理を効率的に実行できる。また、ビデオコール接続への切り替え拒否を簡単な構成で実現できる。例えば、図２のステップＳ２９ａで説明した例では、呼制御サーバ１００ａが、切替拒否応答（SIP_200）を生成し、ノード５０ａに送信しているため、図１１のステップＳ１４ｂで説明したような余分なシーケンスが発生しない。
【００９２】
また、呼制御サーバ１００は、切替テーブル１０５を参照し、ノード５０ａ，５０ｂが、音声接続からビデオ接続に切り替えることを許可するか否かを判定する。呼制御サーバ１００は、ノード５０ａ，５０ｂのいずれか一方（または双方）が、音声接続からビデオ接続に切り替えることを拒否する場合には、音声接続の帯域のみを確保する。一方でも音声接続からビデオ接続に切り替えることを拒否する場合には、ビデオコール接続に切り替わることが無いので、前もって不要なビデオコール帯域を確保する処理を抑止することができる。
【００９３】
ところで、上述した実施例では、呼制御サーバ１００は、音声接続要求（SIP_INVITE）をノード５０ａから受信した際に、ノード５０ａに関するビデオ切替パラメータを切替テーブル１０５に保存していたが、これに限定されない。その他のタイミングで任意にノード５０ａから送信されるＳＩＰ信号に、ビデオ切替パラメータが設定されている場合には、呼制御サーバ１００は、かかるビデオ切替パラメータを、切替テーブル１０５に保存しても良い。
【００９４】
また、呼制御サーバ１００は、音声接続応答（SIP_200）をノード５０ｂから受信した際に、ノード５０ｂに関するビデオ切替パラメータを切替テーブル１０５に保存していたが、これに限定されない。例えば、呼制御サーバ１００は、暫定応答（SIP_18x）をノード５０ｂから受信した際に、ノード５０ｂに関するビデオ切替パラメータが設定されていれば、係るビデオ切替パラメータを、切替テーブル１０５に保存しても良い。また、その他のタイミングで任意にノード５０ｂから送信されるＳＩＰ信号に、ビデオ切替パラメータが設定されている場合には、呼制御サーバ１００は、かかるビデオ切替パラメータを、切替テーブル１０５に保存しても良い。
【００９５】
呼制御サーバ１００は、上記処理を実行することで、音声接続開始時以外であっても、ビデオコールの切替を許可するか否かを変更することができる。
【００９６】
次に、上記実施例に示した呼制御サーバ１００と同様の機能を実現するコンピュータのハードウェア構成の一例について説明する。図９は、呼接続サーバと同様の機能を実現するコンピュータのハードウェア構成の一例を示す図である。
【００９７】
図９に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読み取る読み取り装置２０４と、ネットワークを介して他のコンピュータとの間でデータの授受を行うインタフェース装置２０５とを有する。また、コンピュータ２００は、各種情報を一時記憶するＲＡＭ２０６と、ハードディスク装置２０７とを有する。そして、各装置２０１〜２０７は、バス２０８に接続される。
【００９８】
ハードディスク装置２０７は、通信制御プログラム２０７ａ、切替テーブル２０７ｂを格納する。切替テーブル２０７ｂは、切替テーブル１０５に対応する。ＣＰＵ２０１は、通信制御プログラム２０７ａを読み出して、ＲＡＭ２０６に展開する。
【００９９】
通信制御プログラム２０７ａは、通信制御プロセス２０６ａとして機能する。通信制御プロセス２０６ａの処理は、C-PLANE１０１ａ、U-PLANE１０１ｂ、信号振り分け制御部１０２、入側信号制御部１０３ａ、出側信号制御部１０３ｂ、セッション制御部１０４、呼接続制御部１０６、帯域制御部１０７の処理に対応する。
【０１００】
なお、通信制御プログラム２０７ａについては、必ずしも最初からハードディスク装置２０７に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００が通信制御プログラム２０７ａを読み出して実行するようにしても良い。
【０１０１】
以上の各実施例を含む実施形態に関し、さらに以下の付記を開示する。
【０１０２】
（付記１）呼制御情報に基づいて端末間で通信を行う通信システムにおける通信制御装置であって、
呼制御情報を受信する受信部と、
呼制御情報に含まれる端末識別子と通信方式変更の拒否に対応する拒否情報との対応を記憶する記憶部と、
通信方式変更要求を受信すると、前記記憶部に記憶された情報に基づいて前記通信方式変更要求に対して拒否応答をする制御部と
を有する通信制御装置。
【０１０３】
（付記２）第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、前記呼制御情報の送信元となる前記第１端末または送信元となる前記第２端末の識別情報と前記拒否情報とを対応付けて記憶装置に格納する格納処理部と、
前記第１の通信方式により通信を行っている間に、前記第１端末から通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から通信方式の変更要求を受け付けた場合に、前記記憶装置に記憶された前記第１端末の識別情報に対応する拒否情報を基にして、前記変更要求に対する拒否応答を前記第２端末に送信する処理を実行する判定処理部と
を有することを特徴とする通信制御装置。
【０１０４】
（付記３）前記第１端末の識別情報に対応する拒否情報および前記第２端末の識別情報に対応する拒否情報が、前記通信方式を変更することを許可する旨の情報である場合に、変更後の通信方式で利用する帯域を確保する帯域制御部を更に有することを特徴とする付記１に記載の通信制御装置。
【０１０５】
（付記４）前記格納処理部は、前記第１の通信方式により第１端末および第２端末の間で通信を行っている間に、前記呼制御情報を受信した場合に、前記記憶装置に格納された拒否情報を更新することを特徴とする付記１に記載の通信制御装置。
【０１０６】
（付記５）変更前の通信方式による前記第１端末および前記第２端末の間で通信は音声通信であり、変更後の通信方式による前記第１端末および前記第２端末の間で通信はビデオ通信であることを特徴とする付記２、３または４に記載の通信制御装置。
【０１０７】
（付記６）第１端末と、第２端末と、前記第１端末および前記第２端末の通信を中継する通信制御装置とを有する通信制御システムであって、
前記通信制御装置は、
第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、前記呼制御情報の送信元となる前記第１端末または送信元となる前記第２端末の識別情報と前記拒否情報とを対応付けて記憶装置に格納する格納処理部と、
前記第１の通信方式により通信を行っている間に、前記第１端末から前記通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から前記通信方式の変更要求を受け付けた場合に、前記記憶装置に記憶された前記第１端末の識別情報に対応する拒否情報を基にして、前記変更要求に対する拒否応答を前記第２端末に送信する処理を実行する判定処理部と
を有することを特徴とする通信制御システム。
【０１０８】
（付記７）前記通信制御装置は、前記第１端末の識別情報に対応する拒否情報および前記第２端末の識別情報に対応する拒否情報が、前記通信方式を変更することを許可する旨の情報である場合に、変更後の通信方式で利用する帯域を確保する帯域制御部を更に有することを特徴とする付記６に記載の通信制御システム。
【０１０９】
（付記８）前記格納処理部は、前記第１の通信方式により第１端末および第２端末の間で通信を行っている間に、前記呼制御情報を受信した場合に、前記記憶装置に格納された拒否情報を更新することを特徴とする付記６に記載の通信制御システム。
【０１１０】
（付記９）変更前の通信方式による前記第１端末および前記第２端末の間の通信は音声通信であり、変更後の通信方式による前記第１端末および前記第２端末の間の通信はビデオ通信であることを特徴とする付記６、７または８に記載の通信制御システム。
【０１１１】
（付記１０）コンピュータに、
呼制御情報を受信し、
通信方式変更要求を受信すると、呼制御情報に含まれる端末識別子と通信方式変更の拒否に対応する拒否情報との対応を記憶する記憶部に記憶された情報に基づいて前記通信方式変更要求に対して拒否応答をする
処理を実行させることを特徴とする通信制御プログラム。
【０１１２】
（付記１１）コンピュータに、
第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、
前記呼制御情報の送信元となる前記第１端末または送信元となる前記第２端末の識別情報と前記拒否情報とを対応付けて記憶装置に記憶し、
前記第１の通信方式により通信を行っている間に、前記第１端末から前記通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から前記通信方式の変更要求を受け付けた場合に、前記記憶装置に記憶された前記第１端末の識別情報に対応する拒否情報を基にして、前記変更要求に対する拒否応答を前記第２端末に送信する処理
を実行させることを特徴とする通信制御プログラム。
【０１１３】
（付記１２）前記第１端末の識別情報に対応する拒否情報および前記第２端末の識別情報に対応する拒否情報が、前記通信方式を変更することを許可する旨の情報である場合に、変更後の通信方式で利用する帯域を確保する処理を更にコンピュータに実行させることを特徴とする付記１１に記載の通信制御プログラム。
【０１１４】
（付記１３）前記記憶する処理は、第１の通信方式により第１端末および第２端末の間で通信を行っている間に、前記呼制御情報を受信した場合に、前記記憶装置に格納された拒否情報を更新することを特徴とする付記１１に記載の通信制御プログラム。
【０１１５】
（付記１４）変更前の通信方式による前記第１端末および前記第２端末の間の通信は音声通信であり、変更後の通信方式による前記第１端末および前記第２端末の間で通信はビデオ通信であることを特徴とする付記１１、１２または１３に記載の通信制御プログラム。
【０１１６】
（付記１５）コンピュータが実行する通信制御方法であって、
呼制御情報を受信し、
通信方式変更要求を受信すると、呼制御情報に含まれる端末識別子と通信方式変更の拒否に対応する拒否情報との対応を記憶する記憶部に記憶された情報に基づいて前記通信方式変更要求に対して拒否応答をする
処理を実行することを特徴とする通信制御方法。
【０１１７】
（付記１６）コンピュータが実行する通信制御方法であって、
第１の通信方式により第１端末および第２端末の間で通信を開始する場合に、前記第１端末または前記第２端末から、前記第１の通信方式を変更することを拒否するか否かを示す拒否情報を含んだ呼制御情報を受信し、
前記呼制御情報の送信元となる前記第１端末または送信元となる前記第２端末の識別情報と前記拒否情報とを対応付けて記憶装置に記憶し、
前記第１の通信方式により通信を行っている間に、前記第１端末から前記通信方式の変更要求を受け付けた場合に、前記記憶装置に記憶された前記第２端末の識別情報に対応する拒否情報を基にして、前記変更要求に対する拒否応答を前記第１端末に送信する処理、または、前記第２端末から前記通信方式の変更要求を受け付けた場合に、前記記憶装置に記憶された前記第１端末の識別情報に対応する拒否情報を基にして、前記変更要求に対する拒否応答を前記第２端末に送信する
処理を実行することを特徴とする通信制御方法。
【０１１８】
（付記１７）前記第１端末の識別情報に対応する拒否情報および前記第２端末の識別情報に対応する拒否情報が、前記通信方式を変更することを許可する旨の情報である場合に、変更後の通信方式で利用する帯域を確保する処理を更にコンピュータに実行させることを特徴とする付記１６に記載の通信制御方法。
【０１１９】
（付記１８）前記記憶する処理は、前記第１の通信方式により第１端末および第２端末の間で通信を行っている間に、前記呼制御情報を受信した場合に、前記記憶装置に格納された拒否情報を更新することを特徴とする付記１６に記載の通信制御方法。
【０１２０】
（付記１９）変更前の通信方式による前記第１端末および前記第２端末の間の通信は音声通信であり、変更後の通信方式による前記第１端末および前記第２端末の間で通信はビデオ通信であることを特徴とする付記１６、１７または１８に記載の通信制御方法。
【符号の説明】
【０１２１】
５０ａ，５０ｂ  ノード
６０    管理サーバ
１００ａ，１００ｂ，１００ｃ  呼制御サーバ
【図１】
2018166312.tif 000003
【図２】
2018166312.tif 000004
【図３】
2018166312.tif 000005
【図４】
2018166312.tif 000006
【図５】
2018166312.tif 000007
【図６】
2018166312.tif 000008
【図７】
2018166312.tif 000009
【図８】
2018166312.tif 000010
【図９】
2018166312.tif 000011
【図１０】
2018166312.tif 000012
【図１１】
2018166312.tif 000013
【図１２】
2018166312.tif 000014